(57)【要約】【課題】内部バッテリーから供給される電力によってＸ線検査装置を駆動する場合には、バッテリーの容量によって、撮影可能なＸ線画像の枚数が決定され、外部のＲＩＳ端末から複数の撮影情報を取得し、撮影処理を行う場合に、取得した撮影情報のすべてを撮影することができない場合が発生するという問題を解決すること。【解決手段】内部電源から供給される電力によって駆動し、外部装置から撮影枚数を制御される放射線画像撮影装置において、ＲＩＳ端末から撮影情報を取得する場合に撮影可能枚数をバッテリー容量、画像格納領域容量からあらかじめ計算し、撮影可能な撮影情報のみをＲＩＳ端末から取得することによって、ＲＩＳ端末から取得した撮影情報に係る撮影を確実に行う。【選択図】        図１
2005006888.tif 000002
【特許請求の範囲】
【請求項１】
内部電源から供給される電力によって駆動し、外部装置から撮影枚数を制御される放射線画像撮影装置において撮影可能な画像数を計算する手段と、該撮影可能枚数を超えた画像を撮影数として設定された場合に警告を出す手段を設ける事を特徴とする放射線画像撮影装置。
【請求項２】
内部電源から供給される電力によって駆動し、外部装置から撮影枚数を制御される放射線画像撮影装置において撮影可能な画像数を計算する手段と、外部装置からの撮影要求を取得する手段を設け、該撮影可能枚数以内の撮影要求を外部装置から取得する事を特徴とする放射線画像撮影装置。
【請求項３】
前記請求項１乃至２記載の放射線画像撮影装置は撮影を行った画像を放射線画像撮影装置内部に保持する画像格納領域に保存することを特徴とする放射線画像撮影装置。
【請求項４】
前記請求項１乃至２記載の放射線画像撮影装置はＸ線フラットパネルを用いて撮像することを特徴とする放射線画像撮影装置。
【請求項５】
前記請求項１乃至２記載の撮影可能な画像数は内部電源から供給される電力によって駆動される放射線画像撮影装置において、内部電源の残り容量を検知する手段を設け、該検知手段から求められる内部電源の残り容量を元に計算することを特徴とする放射線画像撮影装置。
【請求項６】
前記請求項１乃至２記載の撮影可能な画像数は内部電源から供給される電力によって駆動される放射線画像撮影装置において、１回の撮影における内部電源容量の減少量を検知する手段を設け、該検知手段から求められる内部電源容量の減少量および、現在の内部電源の残り容量を元に計算することを特徴とする放射線画像撮影装置。
【請求項７】
前記請求項１乃至２記載の撮影可能な画像数は放射線画像撮影装置内部の撮影画像格納領域の残り容量を元に計算することを特徴とする放射線画像撮影装置。
【請求項８】
前記請求項１乃至２記載の撮影可能な画像数は内部電源から供給される電力によって駆動される放射線画像撮影装置において、
前記請求項７記載の１回の撮影における内部電源容量の減少量を検知する手段とともに装置を移動させるために必要となる電力容量を検知する手段を設け、
該検知手段から求められる内部電源容量の減少量および、現在の内部電源の残り容量を元に計算することを特徴とする放射線画像撮影装置。
【発明の詳細な説明】
【０００１】
【発明の属する技術分野】
本発明は、重傷等で歩行困難な患者をＸ線撮影するためにベッドサイドまで移動させて使用する放射線画像撮影装置に関し、詳細には外部装置から設定あるいは外部装置から取得した撮影要求を元に画像を撮影する放射線画像撮影装置の制御方法に関する。
【０００２】
【従来の技術】
従来、放射線画像撮影装置の画像記録媒体としてフィルムカセッテに替わってフラットパネルＸ線検出器を用いた放射線画像撮影装置として、特開平１１−９９１４４号公報、特開平１１−２７６４６５号公報が開示されている。これらにおいては、放射線画像撮影装置の画像記録媒体としてフラットパネルＸ線検出器を用いた放射線画像撮影装置の構成、および、取得画像の表示方法が記載されている。また、特開２００２−１２５９６０号公報においては上記フラットパネルＸ線検出器を用いた放射線画像撮影装置において、ネットワーク上のＲＩＳ端末から撮影情報を取得し、撮影を行った後、撮影結果をＲＩＳ端末へ転送する処理方法が開示されている。
【０００３】
ところで、放射線画像撮影装置の電源供給の方法としては外部から電源を供給する方法、装置内部にバッテリーを具備し、該内部バッテリーから供給する方法があり、内部バッテリーから供給する場合においては、外部から供給された電源によって内部のバッテリーを充電し、病室など外部からの電源が供給できない場所においては内部バッテリーから供給する電力によって装置を駆動する。
【０００４】
【発明が解決しようとする課題】
上記従来例記載の放射線画像撮影装置においてはＸ線検査装置の画像記録媒体としてフラットパネルＸ線検出器を用いることにより、フィルムカセッテを複数用意する必要がなく、また撮影枚数を気にすることなく撮影ができるメリットがある。
【０００５】
また、放射線画像撮影装置の画像記録媒体としてフラットパネルＸ線検出器を用いることにより撮影後すぐに撮影した画像を見ることができ、正しく撮影ができたかを確認できるというメリットがある。
【０００６】
しかしながら、内部バッテリーから供給される電力によってＸ線検査装置を駆動する場合には、バッテリーの容量によって、撮影可能なＸ線画像の枚数が決定され、外部のＲＩＳ端末から複数の撮影情報を取得し、撮影処理を行う場合に、取得した撮影情報のすべてを撮影することができない場合が発生するという問題がある。
【０００７】
そこで、この発明は、内部電源から供給される電力によって駆動し、外部装置から撮影枚数を制御される放射線画像撮影装置において、ＲＩＳ端末から撮影情報を取得する場合に撮影可能枚数をあらかじめ計算し、撮影可能な撮影情報のみをＲＩＳ端末から取得することによって、ＲＩＳ端末から取得した撮影情報に係る撮影を確実に行うことを目的とする。
【０００８】
【課題を解決するための手段】
上記目的を達成するために本発明の請求項１に係る放射線画像撮影装置においては内部電源から供給される電力によって駆動し、外部装置から撮影枚数を制御される放射線画像撮影装置において撮影可能な画像数を計算する手段と、該撮影可能枚数を超えた画像を撮影数として設定された場合に警告を出す手段を設ける事を特徴とする。
【０００９】
また、本発明の請求項２に係る放射線画像撮影装置においては内部電源から供給される電力によって駆動し、外部装置から撮影枚数を制御される放射線画像撮影装置において撮影可能な画像数を計算する手段と、外部装置からの撮影要求を取得する手段を設け、該撮影可能枚数以内の撮影要求を外部装置から取得する事を特徴とする。
【００１０】
また、本発明の請求項３に係る放射線画像撮影装置においては、撮影を行った画像を放射線画像撮影装置内部に保持する画像格納領域に保存することを特徴とする。
【００１１】
また、本発明の請求項４に係る放射線画像撮影装置においては、Ｘ線フラットパネルを用いて撮像することを特徴とする。
【００１２】
また、本発明の請求項５に係る放射線画像撮影装置においては、請求項１乃至２記載の撮影可能な画像数は内部電源から供給される電力によって駆動される放射線画像撮影装置において、内部電源の残り容量を検知する手段を設け、該検知手段から求められる内部電源の残り容量を元に計算することを特徴とする。
【００１３】
また、本発明の請求項６に係る放射線画像撮影装置においては、請求項１乃至２記載の撮影可能な画像数は内部電源から供給される電力によって駆動される放射線画像撮影装置において、１回の撮影における内部電源容量の減少量を検知する手段を設け、該検知手段から求められる内部電源容量の減少量および、現在の内部電源の残り容量を元に計算する事を特徴とする。
【００１４】
また、本発明の請求項７に係る放射線画像撮影装置においては、請求項１乃至２記載の撮影可能な画像数は放射線画像撮影装置内部の撮影画像格納領域の残り容量を元に計算することを特徴とする。
【００１５】
また、本発明の請求項８に係る放射線画像撮影装置においては、請求項１乃至２記載の撮影可能な画像数は内部電源から供給される電力によって駆動される放射線画像撮影装置において、前記請求項７記載の１回の撮影における内部電源容量の減少量を検知する手段とともに装置を移動させるために必要となる電力容量を検知する手段を設け、該検知手段から求められる内部電源容量の減少量および、現在の内部電源の残り容量を元に計算することを特徴とする。
【００１６】
【発明の実施の形態】
（実施例１）
以下、図面を参照して本発明の実施例を説明する。図１は本発明を実施する放射線画像撮影装置（以下撮影装置と称する）の概略構成を示す模式図であり、１はフラットパネルＸ線検出器で、有線あるいは無線通信路を介してコントロールＰＣ２に接続されている。コントロールＰＣ２には撮影したＸ線透過画像をモニタするためのモニタ５、ネットワークを介して不図示の外部撮影制御装置（ＲＩＳ）から撮影を実施する患者の情報を取得、また保存された画像を不図示の画像サーバ、プリンタへ送信するためのネットワークソケット８が接続されているとともに、Ｘ線透過画像の撮影条件などの情報を撮影時に修正するためのキーボード６が接続されている。またコントロールＰＣ２の内部には、撮影を行う患者について、患者名、撮影条件などの情報、撮影を行った画像の情報を格納するとともに、ＲＩＳから受信した患者情報に含まれる撮影枚数などを格納する情報格納領域１０が設置されている。９は撮影装置の駆動電力を外部から供給するためのＡＣソケットであり、ＡＣソケット９は充電回路３を介してバッテリー４、コントロールＰＣ２および管球７を駆動するための管球駆動装置１７に接続されており、管球駆動装置１７はコントロールＰＣ２によって動作が制御されている。
【００１７】
フラットパネルＸ線検出器１は、全体としては２次元の平面状の形をしており、図３に示すように、Ｘ線検出部２０とコントロール・ユニット２１とからなり、Ｘ線検出部２０は被検体を透過したＸ線を電荷に変換するＸ線検出物質層２２と、この電荷を読み出し電気信号に変換するＴＦＴトランジスタ２４とで構成されており、２２および２４はガラス基板２５上に形成される。
【００１８】
また、コントロール・ユニット２１は、Ｘ線検出物質層２３により変換された電荷をＴＦＴトランジスタ２４により読み出すタイミングの制御や読み出した電気信号からＸ線画像情報を構成し、補正情報を元に画像の補正処理を行う制御回路２６、制御回路からの制御によってＴＦＴトランジスタ２４で変換された電気信号を増幅するアンプ２７、制御回路で処理されたＸ線画像情報を格納するメモリ２８、制御回路が画像補正に使用する補正情報を格納した補正情報格納メモリ２９とで構成され、このコントロール・ユニット２１とＸ線検出部２０とは保護ケースに収容されている。
【００１９】
このフラットパネルＸ線検出器１には、直接変換方式と間接変換方式とがあり、直接変換方式のＸ線検出器ではＸ線検出物質層が図４（ａ）に示すように光導電体膜（例えばアモルファス・セレン膜、Ｃｄ（Ｚｎ）Ｔｅ膜）とされ、入射Ｘ線はアモルファス・セレン膜でそのエネルギーを放出し、電子と正孔のペアーに変換され、電荷は外部印加電圧により移動し、ＴＦＴの電荷収集電極を通してコンデンサに蓄積され、ＴＦＴの読み出し回路により読み出され、コントロール・ユニット２１を通してコントロールＰＣ２にＸ線透過画像が送られる。
【００２０】
また、間接方式のＸ線検出器では、図５（ａ）に示すようにＸ線検出物質層がヨウ化セシウム（ＣｓＩ）あるいはＧＯＳ（Ｇｄ２Ｏ２Ｓ）層とされ、入射Ｘ線はＸ線検出物質層でそのエネルギーを放出し、蛍光に変換され、発光はＴＦＴ上のフォトダイオードに導びかれ、フォトダイオードで光から電荷への変換がなされ、電荷はコンデンサに蓄積され、ＴＦＴの読み出し回路により読み出され、コントロール・ユニット２１を通してコントロールＰＣ２にＸ線透過画像が送られる。
【００２１】
図１に戻って図中３に示す充電回路の構成を図２に示す。充電回路３は外部からの電源ノイズを低減するためのノイズフィルター１１、バッテリーを充電するための充電器１４、バッテリーからの電圧を外部電源と同等とするための昇圧回路１５、直流交流変換のためのインバータ１６から構成されており、充電器１４と昇圧回路１５にバッテリー４が接続されている。バッテリー４と充電器１４、昇圧回路１５の間にはバッテリーの残り容量を測るためのバッテリー残容量計１３が接続されている。
【００２２】
バッテリー残容量計１３の回路例を図６に示す。バッテリー残容量計１３は充電器１４からバッテリー４に流れる電流を電流−電圧変換回路３０ａで電圧に変換後、Ｖ−Ｆ変換回路３１ａでパルスに変換し、カウンタ３２ａでカウントする。またバッテリー４から昇圧回路１５に流れる電流を電流−電圧変換回路３０ｂで電圧に変換後、Ｖ−Ｆ変換回路３１ｂでパルスに変換し、カウンタ３２ｂでカウントする。減算回路３３でカウンタ３２ａからのカウント値からカウンタ３２ｂからのカウント値を減算し、減算結果をコントロールＰＣ２に通知する。
【００２３】
コントロールＰＣ２には、バッテリー容量不足で撮影装置が動作しなくなるときの減算回路３３から通知される値、１回の撮影で消費される平均的な電力量に対応するカウンタ値、即ち撮影を１回実施した場合に、撮影後にカウンタ３２ｂから減算回路３３に出力されるカウンタ値から、撮影前にカウンタ３２ｂから減算回路３３に出力されるカウンタ値を引いた値を製造時に計測して情報格納領域１０に保存する。
【００２４】
図７に、情報格納領域１０の構成を示す。情報格納領域１０は図６で説明を行った、バッテリー容量の現在値４１、撮影動作不能時のバッテリー容量値４２、撮影を１回実施した場合に平均的に消費されるバッテリー値４３をそれぞれ格納するためのカウンタ値格納領域４０と、ＲＩＳから送られた患者情報が格納される検査患者情報４５、検査患者情報４５に格納されている患者情報内に保持されている撮影数の総数を示す予約撮影枚数格納領域４４、撮影を行った画像を格納する撮影画像格納領域４６から構成されている。
【００２５】
次に、本実施例において、ＲＩＳが患者情報を撮影装置に送る動作、撮影装置がＲＩＳから患者情報を受け取る動作を図８、図１１、図１２、図１３を用い説明する。
【００２６】
図８は、画像撮影を行う患者を選択するためのＲＩＳ端末の画面例を示す図である。図８において、５０は撮影を行う患者のリストを示しており、該リストには５１に示すように各患者に対して撮影を行う枚数が付加されている。ＲＩＳを操作するユーザは、撮影装置選択リスト５２から、撮影を行う撮影装置を選択し、患者リスト５０から撮影装置選択リスト５２で選択を行った撮影装置で撮影を行う患者を選択した後、選択患者送信ボタン５３を押すことで、撮影装置に撮影を行う患者情報を送信することができるよう構成されている。
【００２７】
図１１はＲＩＳが撮影装置に患者情報を送信する動作を示すフローチャートである。Ｓ１０１でユーザが前記、図８に示すＲＩＳ端末画面から、撮影を行う患者情報を選択すると、ＲＩＳはＳ１０２で、撮影装置に患者情報送信開始通知を送信し、患者情報の送信を開始することを通知する。次にＳ１０３で、患者リスト５０から選択を行った患者をすべて撮影装置に送信したかを判断する。Ｓ１０３の判断ですべての患者情報を送信したと判断した場合には処理を終了する。Ｓ１０３の判断で未送信の患者情報があると判断した場合には、Ｓ１０４で１人の患者に関する情報を撮影装置に送信する。次にＳ１０５で、撮影装置からの患者情報の受信結果通知を受け取り、Ｓ１０６で、Ｓ１０５で受信した結果を判断する。Ｓ１０６の判断で予約が成功した場合には、Ｓ１０７で、送信した患者情報を患者リスト５０から削除する。Ｓ１０６の判断で予約が失敗した場合には、Ｓ１０８で予約ができないことをユーザに通知して処理を終了する。
【００２８】
図１２は撮影装置が、図１１、Ｓ１０２でＲＩＳが通知する患者情報送信開始通知を受信した場合の動作を示すフローチャートである。Ｓ２０１で、患者情報送信開始通知を受信すると撮影装置は、Ｓ２０２で図７の４４に示す、情報格納領域内の予約撮影枚数格納領域の値を０として処理を終了する。
【００２９】
図１３は撮影装置が、図１１、Ｓ１０４でＲＩＳが送信した患者情報を受信した場合の動作を示すフローチャートである。Ｓ３０１で患者情報を受信すると、撮影装置はＳ３０２で、患者情報内の撮影枚数を取得する。Ｓ３０３で、図７の４４に示す、情報格納領域内の予約撮影枚数格納領域の撮影枚数にＳ３０２で取得した患者情報内の撮影枚数を加えた値と、撮影可能枚数を比較する。撮影可能枚数は、
（バッテリー容量現在値４１−撮影動作不能時バッテリー容量値４２）÷１撮影消費バッテリー値４３
によって求める。Ｓ３０３の比較で、撮影枚数が撮影可能枚数以下の場合には、Ｓ３０４で、予約撮影枚数格納領域４４に、現在の予約撮影枚数にＳ３０２で取得した患者情報内の撮影枚数を加えた値を格納し、Ｓ３０５で、Ｓ３０１で受信した患者情報を格納後、Ｓ３０６でＲＩＳに予約が正しく行われたことを通知して処理を終了する。Ｓ３０３の比較で、撮影枚数が撮影可能枚数を超えていた場合には、Ｓ３０７で、ＲＩＳに予約を行うことができなかったことを通知して処理を終了する。
【００３０】
以上説明した構成、及び処理によれば、内部電源から供給される電力によって駆動し、外部装置から撮影枚数を制御される撮影装置において、ＲＩＳから撮影可能枚数を超えた患者情報を送信した場合に予約できないことが通知されるため、ＲＩＳから撮影装置に送信した患者情報に係る撮影を確実に行うことが可能となる。
【００３１】
（実施例２）
上記実施例１においては、撮影装置が撮影を行う検査をＲＩＳが送信するように構成しており、撮影装置で撮影を実施する検査を選択する場合にＲＩＳ端末上での操作が必要であったが、撮影を実施する検査を撮影装置上で選択できるようにし、操作を簡略化できる構成とすることも可能である。撮影装置上で撮影実施検査を選択する場合に、図１の５に示すモニタ上の表示例を図９、図１０に示す。図９に示す撮影装置のモニタ画面でユーザが、患者入力ボタン６０を押すと、図１０に示すような検査患者情報選択画面が表示される。ここで表示される画面は、実施例１中、図８の５０に示す患者リストにリスト中の情報の予約状況を示す予約属性６１を付加したものとなっているが、図８の５０の患者リストと同様の構成としてもよい。説明した構成においての撮影を実施する患者を予約する処理動作は、前記実施例で説明したＲＩＳの処理を撮影装置内で実施することで行う。
【００３２】
以上説明した構成、及び処理によれば、上記実施例１に示した効果に加えて、患者情報の予約操作を撮影装置上で実施することが可能となり、処理の簡略化を行うことが可能となる。
【００３３】
（実施例３）
上記実施例１乃至２においては、ＲＩＳから送信された患者情報が撮影可能であるかを撮影装置が判断する場合に、撮影装置のバッテリー残り容量を元に判断しているが、撮影装置によって撮影された画像は、図７で説明を行った情報格納領域１０内の撮影画像格納領域４６に格納されるため、該、撮影画像格納領域４６の領域容量が不足した場合にも撮影ができなくなる。このため、ＲＩＳから送信された患者情報が撮影可能であるかを撮影装置が判断する場合に、撮影装置のバッテリー残り容量とともに、撮影画像格納領域４６の残り容量を確認して、撮影可能であるかを判断するよう構成することも可能である。図１４は、実施例１、図１３で説明を行った、撮影装置が、図１１、Ｓ１０４でＲＩＳが送信した患者情報を受信した場合の動作において撮影装置のバッテリー残り容量とともに、撮影画像格納領域４６の残り容量を確認して撮影可能か否かを判断する処理を付加したフローチャートである。なお、フローチャートにおいて実施例１、図１３で説明を行ったと同様の処理を行う部分には、同一の符号を付与し説明を省略する。撮影装置はＲＩＳが送信した患者情報を受信すると、前記実施例１で説明を行ったＳ３０１〜Ｓ３０３までの処理を行い、続いてＳ４０１で、撮影画像格納領域４６の残り記録容量を取得する。次にＳ４０２で、Ｓ３０２で取得した撮影枚数に画像サイズを乗じた値と、Ｓ４０１で取得した撮影画像格納領域４６の残り容量を比較する。ここで画像サイズは、センサの画素数に階調数、例えば１６ｂｉｔを乗じて算出する。
【００３４】
Ｓ４０２の比較で、撮影枚数に画像サイズを乗じた値が撮影画像格納領域４６の残り記録容量以下の場合には、実施例１で説明を行った、Ｓ３０４以降の処理を実施する。Ｓ４０２の比較で、撮影枚数に画像サイズを乗じた値が撮影画像格納領域４６の残り記録容量を超えていた場合には、Ｓ３０７で、ＲＩＳに予約を行うことができなかったことを通知して処理を終了する。
【００３５】
以上説明した構成、及び処理によれば、上記実施例１乃至２に示した効果に加えて、撮影装置に保存可能な画像数を元に撮影の可否を決定しているため、ＲＩＳから撮影装置に送信した患者情報に係る撮影をより確実に行うことが可能となる。
【００３６】
（実施例４）
上記実施例１乃至３の構成においては、撮影装置の移動手段として、特に説明を行っていないが、撮影装置は重量が重いために、一般的に移動手段として内部バッテリーを使用し、電動モータによって移動可能なように構成されている。このような構成の場合、撮影可能な画像数は、撮影に係る電力消費量とともに、装置の移動時に消費される電力量を勘案した値としなければならない。
【００３７】
図１５は移動手段として内部バッテリーを使用し、電動モータによって移動可能なように構成した撮影装置の概略構成を示す模式図である。図１５は図１に示す構成図に、装置の移動時に車輪を駆動するための駆動モータ７０を付加しており、駆動モータ７０は充電回路３を介してバッテリー４の電力によって動作するよう構成している。
【００３８】
次に、本実施例において、ＲＩＳが患者情報を撮影装置に送る動作、撮影装置がＲＩＳから患者情報を受け取る動作を図１６、図１７、図１８を用い説明する。
【００３９】
図１６は、画像撮影を行う患者を選択するためのＲＩＳ端末の画面例を示す図である。図１６は実施例２中、図１０に示す患者リストに撮影を予約する患者の病室の情報を示す入院病室情報７１を付加したものとなっているが、実施例１、図８の５０の患者リスト、あるいは実施例２、図１０で説明したと患者リストと同様の構成としてもよい。
【００４０】
図１７は本実施例における情報格納領域１０の構成を示す図であり、実施例１中、図７で説明したカウンタ格納領域４０にバッテリーの残り容量値を格納する領域７２を付加した構成となっており、また検査患者情報格納領域４５に格納される患者情報には患者の病室情報が格納される。
【００４１】
図１８は、実施例１、図１３で説明を行った、撮影装置が、図１１、Ｓ１０４でＲＩＳが送信した患者情報を受信した場合の動作において、撮影に係る電力消費量とともに、装置の移動時に消費される電力量を勘案した値を確認して撮影可能か否かを判断する処理を付加したフローチャートである。なお、フローチャートにおいて実施例１、図１３で説明を行ったと同様の処理を行う部分には、同一の符号を付与し説明を省略する。撮影装置はＲＩＳが送信した患者情報を受信すると、前記実施例１で説明を行ったＳ３０１〜Ｓ３０３までの処理を行い、続いてＳ５０１で、入院病室情報７１から病室までの移動に必要な電力量を取得する。必要な電力量については、図１７の４４に示す、予約撮影枚数が０である場合には、現在地から入院病室情報７１に示される病室への移動距離、図１７の４４に示す、予約撮影枚数が１以上の場合には、図１７の４５に示す検査患者情報格納領域内の末尾に格納されている検査患者情報内から病室情報を取得して、取得した病室と、Ｓ５０１で取得した病室への移動距離を元に、移動のための必要電力量を求める。また、各病室間の移動に必要な電力量は、あらかじめ病室間の移動距離を元に計算し、ＲＩＳあるいは撮影装置に記憶しておくことで値を求めるよう構成する。次にＳ５０２で、Ｓ３０２で取得した撮影枚数、病室の値から撮影可能であるかを確認する。確認は、
バッテリー残り容量と（撮影枚数×１撮影消費バッテリー値４３＋病室までの移動電力）
を比較することによって求める。病室までの移動電力は、図１７の４４に示す、予約撮影枚数が０である場合には、（バッテリー容量現在値−撮影動作不能時バッテリー容量値）から値を求め、１以上である場合には、この後のステップＳ５０３で更新した値を使用する。
【００４２】
Ｓ５０２の比較で、撮影可能であった場合には、実施例１で説明を行った、Ｓ３０４の処理を実施した後、Ｓ５０３でバッテリー残り容量を更新する。バッテリー残り容量は、現在のバッテリー残り容量から（Ｓ３０２で取得した撮影枚数×１撮影消費バッテリー値＋Ｓ５０１で取得した病室までの移動電力）を減じた値を更新値とする。その後、実施例１で説明を行った、Ｓ３０５以降の処理を実施する。Ｓ５０２の比較で、撮影可能でなかった場合には、Ｓ３０７で、ＲＩＳに予約を行うことができなかったことを通知して処理を終了する。
【００４３】
以上説明した構成、及び処理によれば、撮影装置の移動手段として内部バッテリーを使用し、電動モータによって移動可能なように構成されている場合においても、ＲＩＳから撮影可能枚数を超えた患者情報を送信した場合に予約できないことが通知されるため、ＲＩＳから撮影装置に送信した患者情報に係る撮影を確実に行うことが可能となる。
【００４４】
【発明の効果】
以上説明したように本発明の放射線画像撮影装置によれば、内部電源から供給される電力によって駆動し、外部装置から撮影枚数を制御される放射線画像撮影装置において、ＲＩＳ端末から撮影情報を取得する場合に撮影可能枚数をあらかじめ計算し、撮影可能な撮影情報のみをＲＩＳ端末から取得することによって、ＲＩＳ端末から取得した撮影情報に係る撮影を確実に行うことができる。
【図面の簡単な説明】
【図１】本発明の実施例に係る放射線画像撮影装置の概略構成を示す模式図
【図２】本発明の実施例に係るバッテリーの残り容量を検知可能な充電回路の概略構成を示す模式図
【図３】フラットパネルＸ線検出器の概略構成を示す模式図
【図４】直接変換方式のフラットパネルＸ線検知器のＸ線検出部（ａ）と電荷読み出し部（ｂ）の概略構成を示す模式図
【図５】間接変換方式のフラットパネルＸ線検知器のＸ線検出部（ａ）と電荷読み出し部（ｂ）の概略構成を示す模式図
【図６】本発明の実施例に係るバッテリーの残り容量を検知するためのバッテリー残容量計回路の概略構成図
【図７】図１の１０に示す情報格納領域の概略構成図
【図８】本発明の第１の実施例に係るＲＩＳ端末画面例
【図９】本発明の第２の実施例に係る放射線画像撮影装置のモニタ画面例
【図１０】本発明の第２の実施例に係る放射線画像撮影装置のモニタ画面例
【図１１】本発明の実施例において、撮影装置に患者情報を送信する動作を示すフローチャート
【図１２】本発明の実施例において、撮影装置に患者情報を送信する動作を示すフローチャート
【図１３】本発明の実施例において、撮影装置が患者情報を受信する動作を示すフローチャート
【図１４】本発明の第３の実施例において、撮影装置が患者情報を受信する動作を示すフローチャート
【図１５】本発明の第４の実施例において、撮影装置の移動を内部バッテリーにより行う放射線画像撮影装置の概略構成を示す模式図
【図１６】本発明の第４の実施例に係る放射線画像撮影装置のモニタ画面例
【図１７】本発明の第４の実施例に係る図１５の１０に示す情報格納領域の概略構成図
【図１８】本発明の第４の実施例において、撮影装置が患者情報を受信する動作を示すフローチャート
【符号の説明】
１  フラットパネルＸ線検出器
２  コントロールＰＣ
３  充電回路
４  バッテリー
１３  バッテリー残容量計
【図１】
2005006888.tif 000003
【図２】
2005006888.tif 000004
【図３】
2005006888.tif 000005
【図４】
2005006888.tif 000006
【図５】
2005006888.tif 000007
【図６】
2005006888.tif 000008
【図７】
2005006888.tif 000009
【図８】
2005006888.tif 000010
【図９】
2005006888.tif 000011
【図１０】
2005006888.tif 000012
【図１１】
2005006888.tif 000013
【図１２】
2005006888.tif 000014
【図１３】
2005006888.tif 000015
【図１４】
2005006888.tif 000016
【図１５】
2005006888.tif 000017
【図１６】
2005006888.tif 000018
【図１７】
2005006888.tif 000019
【図１８】
2005006888.tif 000020